(57)【特許請求の範囲】
【請求項１】
指定された宝くじの種類および宝くじ券の少なくとも組の一部と番号の一部と購入枚数とを示す購入条件の情報を受付ける受付管理部と、
残っている宝くじ券の組と番号を示す在庫情報を記憶する宝くじデータベースと、
前記宝くじデータベースに記憶されている在庫情報を読み取って、当該読み取った在庫情報と前記購入条件で示される宝くじ券の組と番号とを比較することにより、前記購入条件に合致する宝くじ券が在庫として存在するかどうかを判断する現物管理部と、
前記購入条件を受付ける毎に当該購入条件に示される組と番号をカウントした指定回数情報または、前記組と前記番号の人気度の少なくとも一方を、前記組と前記番号のそれぞれについて記憶する人気・不人気番号情報データベースと、
前記現物管理部の処理において前記宝くじデータベースに在庫として存在すると判断された宝くじ券の組と番号の組み合わせの中から前記購入条件で示される組と番号の組み合わせに一致する宝くじ券の組と番号の組み合わせを抽出した後に、当該抽出した宝くじ券のうち、前記人気・不人気番号情報データベースに記憶する前記指定回数が少ない組や番号の宝くじ券、または前記人気度の低い組や番号の宝くじ券の少なくとも一方を、所定の選択方法に基づいて前記購入枚数分選択し、さらに、予め内部に設定されたルールに従って、前記購入枚数分選択された宝くじ券の組と番号の組み合わせの中に、前記人気・不人気番号情報データベースにおいて組と番号の両方が低い人気度に対応付けられて記録されている組と番号の組み合わせが含まれる場合には、前記購入枚数分選択された宝くじ券の何れかを、前記人気・不人気番号情報データベースにおいて組と番号の両方が高い人気度に対応付けられて記録されている組と番号の宝くじ券に変更して券組を行なう券組管理部と、
を備えることを特徴とする宝くじ販売装置。
【請求項２】
前記人気度は宝くじの販売経験に基づいて決定された前記組と前記番号毎のランクであることを特徴とする請求項１に記載の宝くじ販売装置。
【請求項３】
宝くじ販売装置における宝くじ販売方法であって、
宝くじ販売装置の受付管理部が、指定された宝くじの種類および宝くじ券の少なくとも組の一部と番号の一部と購入枚数とを示す購入条件の情報を受付け、
宝くじ販売装置の宝くじデータベースが、残っている宝くじ券の組と番号を示す在庫情報を記憶し、
宝くじ販売装置の現物管理部が、前記宝くじデータベースに記憶されている在庫情報を読み取って、当該読み取った在庫情報と前記購入条件で示される宝くじ券の組と番号とを比較することにより、前記購入条件に合致する宝くじ券が在庫として存在するかどうかを判断し、
前記購入条件を受付ける毎に当該購入条件に示される組と番号をカウントした指定回数情報または、前記組と前記番号の人気度の少なくとも一方が、前記組と前記番号のそれぞれについて、前記宝くじ販売装置の人気・不人気番号情報データベースに記憶され、
宝くじ販売装置の券組管理部が、前記現物管理部の処理において前記宝くじデータベースに在庫として存在すると判断された宝くじ券の組と番号の組み合わせの中から前記購入条件で示される組と番号の組み合わせに一致する宝くじ券の組と番号の組み合わせを抽出した後に、当該抽出した宝くじ券のうち、前記人気・不人気番号情報データベースに記憶する前記指定回数が少ない組や番号の宝くじ券、または前記人気度の低い組や番号の宝くじ券の少なくとも一方を、所定の選択方法に基づいて前記購入枚数分選択し、さらに、予め内部に設定されたルールに従って、前記購入枚数分選択された宝くじ券の組と番号の組み合わせの中に、前記人気・不人気番号情報データベースにおいて組と番号の両方が低い人気度に対応付けられて記録されている組と番号の組み合わせが含まれる場合には、前記購入枚数分選択された宝くじ券の何れかを、前記人気・不人気番号情報データベースにおいて組と番号の両方が高い人気度に対応付けられて記録されている組と番号の宝くじ券に変更して券組を行なう
ことを特徴とする宝くじ販売方法。
【請求項４】
購入条件を受付ける毎に当該購入条件に示される組と番号をカウントした指定回数情報または、宝くじ券の組と番号の人気度の少なくとも一方を、組と番号のそれぞれについて記憶する人気・不人気番号情報データベース
にアクセス可能なコンピュータに実行させるプログラムであって、
指定された宝くじの種類および宝くじ券の少なくとも組の一部と番号の一部と購入枚数とを示す前記購入条件の情報を受付ける受付管理処理と、
残っている宝くじ券の組と番号を示す在庫情報を記憶する宝くじデータベースに記憶されている在庫情報を読み取って、当該読み取った在庫情報と前記購入条件で示される宝くじ券の組と番号とを比較することにより、前記購入条件に合致する宝くじ券が在庫として存在するかどうかを判断する現物管理処理と、
前記現物管理処理において前記宝くじデータベースに在庫として存在すると判断された宝くじ券の組と番号の組み合わせの中から前記購入条件で示される組と番号の組み合わせに一致する宝くじ券の組と番号の組み合わせを抽出した後に、当該抽出した宝くじ券のうち、前記人気・不人気番号情報データベースに記憶する前記指定回数が少ない組や番号の宝くじ券、または前記人気度の低い組や番号の宝くじ券の少なくとも一方を、所定の選択方法に基づいて前記購入枚数分選択し、さらに、予め内部に設定されたルールに従って、前記購入枚数分選択された宝くじ券の組と番号の組み合わせの中に、前記人気・不人気番号情報データベースにおいて組と番号の両方が低い人気度に対応付けられて記録されている組と番号の組み合わせが含まれる場合には、前記購入枚数分選択された宝くじ券の何れかを、前記人気・不人気番号情報データベースにおいて組と番号の両方が高い人気度に対応付けられて記録されている組と番号の宝くじ券に変更して券組を行なう券組管理処理と、
をコンピュータに実行させるプログラム。
【発明の詳細な説明】
【０００１】
【発明の属する技術分野】
この発明は、通信ネットワーク上のコンピュータシステムに係り、特に、通信ネットワーク経由での宝くじ購入を可能にした宝くじ販売装置及び宝くじ販売方法並びにそのプログラムに関するものである。
【０００２】
【従来の技術】
通信ネットワーク上の宝くじ販売装置においては、利用登録をしている会員（購入者）が、宝くじ販売装置にアクセスして、ジャンボ宝くじなどの普通宝くじを購入する際に、好きな宝くじ券の組と番号を全て指定する（例えば、特許文献１参照。）。
【０００３】
【特許文献１】
特開２００２−１２３６４６号公報
【０００４】
【発明が解決しようとする課題】
しかしながら、上述の宝くじ販売装置にあっては、人気のある宝くじ番号は多く売れてしまい、人気のない宝くじ番号は売れ残ってしまうこととなる。
そこでこの発明は、会員が指定した宝くじ券の番号と共に、人気のない宝くじ券も共に販売して、人気のない番号だけが売れ残らないような機能と、予め券組をしておく必要がなく、会員が指定した枚数に応じて宝くじ券の販売を行う機能を備えた、宝くじ販売装置及び宝くじ販売方法並びにそのプログラムを提供することを目的としている。
【０００５】
【課題を解決するための手段】
本発明は、上述の課題を解決すべくなされたもので、指定された宝くじの種類および宝くじ券の少なくとも組の一部と番号の一部と購入枚数とを示す購入条件の情報を受付ける受付管理部と、残っている宝くじ券の組と番号を示す在庫情報を記憶する宝くじデータベースと、前記宝くじデータベースに記憶されている在庫情報を読み取って、当該読み取った在庫情報と前記購入条件で示される宝くじ券の組と番号とを比較することにより、前記購入条件に合致する宝くじ券が在庫として存在するかどうかを判断する現物管理部と、前記購入条件を受付ける毎に当該購入条件に示される組と番号をカウントした指定回数情報または、前記組と前記番号の人気度の少なくとも一方を、前記組と前記番号のそれぞれについて記憶する人気・不人気番号情報データベースと、前記現物管理部の処理において前記宝くじデータベースに在庫として存在すると判断された宝くじ券の組と番号の組み合わせの中から前記購入条件で示される組と番号の組み合わせに一致する宝くじ券の組と番号の組み合わせを抽出した後に、当該抽出した宝くじ券のうち、前記人気・不人気番号情報データベースに記憶する前記指定回数が少ない組や番号の宝くじ券、または前記人気度の低い組や番号の宝くじ券の少なくとも一方を、所定の選択方法に基づいて前記購入枚数分選択し、さらに、予め内部に設定されたルールに従って、前記購入枚数分選択された宝くじ券の組と番号の組み合わせの中に、前記人気・不人気番号情報データベースにおいて組と番号の両方が低い人気度に対応付けられて記録されている組と番号の組み合わせが含まれる場合には、前記購入枚数分選択された宝くじ券の何れかを、前記人気・不人気番号情報データベースにおいて組と番号の両方が高い人気度に対応付けられて記録されている組と番号の宝くじ券に変更して券組を行なう券組管理部と、を備えることを特徴とする宝くじ販売装置である。
【０００６】
また本発明は、前記人気度は宝くじの販売経験に基づいて決定された前記組と前記番号毎のランクであることを特徴とする。
【０００７】
また本発明は、宝くじ販売装置における宝くじ販売方法であって、宝くじ販売装置の受付管理部が、指定された宝くじの種類および宝くじ券の少なくとも組の一部と番号の一部と購入枚数とを示す購入条件の情報を受付け、宝くじ販売装置の宝くじデータベースが、残っている宝くじ券の組と番号を示す在庫情報を記憶し、宝くじ販売装置の現物管理部が、前記宝くじデータベースに記憶されている在庫情報を読み取って、当該読み取った在庫情報と前記購入条件で示される宝くじ券の組と番号とを比較することにより、前記購入条件に合致する宝くじ券が在庫として存在するかどうかを判断し、前記購入条件を受付ける毎に当該購入条件に示される組と番号をカウントした指定回数情報または、前記組と前記番号の人気度の少なくとも一方が、前記組と前記番号のそれぞれについて、前記宝くじ販売装置の人気・不人気番号情報データベースに記憶され、宝くじ販売装置の券組管理部が、前記現物管理部の処理において前記宝くじデータベースに在庫として存在すると判断された宝くじ券の組と番号の組み合わせの中から前記購入条件で示される組と番号の組み合わせに一致する宝くじ券の組と番号の組み合わせを抽出した後に、当該抽出した宝くじ券のうち、前記人気・不人気番号情報データベースに記憶する前記指定回数が少ない組や番号の宝くじ券、または前記人気度の低い組や番号の宝くじ券の少なくとも一方を、所定の選択方法に基づいて前記購入枚数分選択し、さらに、予め内部に設定されたルールに従って、前記購入枚数分選択された宝くじ券の組と番号の組み合わせの中に、前記人気・不人気番号情報データベースにおいて組と番号の両方が低い人気度に対応付けられて記録されている組と番号の組み合わせが含まれる場合には、前記購入枚数分選択された宝くじ券の何れかを、前記人気・不人気番号情報データベースにおいて組と番号の両方が高い人気度に対応付けられて記録されている組と番号の宝くじ券に変更して券組を行なうことを特徴とする宝くじ販売方法である。
【０００８】
また本発明は、購入条件を受付ける毎に当該購入条件に示される組と番号をカウントした指定回数情報または、宝くじ券の組と番号の人気度の少なくとも一方を、組と番号のそれぞれについて記憶する人気・不人気番号情報データベースにアクセス可能なコンピュータに実行させるプログラムであって、指定された宝くじの種類および宝くじ券の少なくとも組の一部と番号の一部と購入枚数とを示す前記購入条件の情報を受付ける受付管理処理と、残っている宝くじ券の組と番号を示す在庫情報を記憶する宝くじデータベースに記憶されている在庫情報を読み取って、当該読み取った在庫情報と前記購入条件で示される宝くじ券の組と番号とを比較することにより、前記購入条件に合致する宝くじ券が在庫として存在するかどうかを判断する現物管理処理と、前記現物管理処理において前記宝くじデータベースに在庫として存在すると判断された宝くじ券の組と番号の組み合わせの中から前記購入条件で示される組と番号の組み合わせに一致する宝くじ券の組と番号の組み合わせを抽出した後に、当該抽出した宝くじ券のうち、前記人気・不人気番号情報データベースに記憶する前記指定回数が少ない組や番号の宝くじ券、または前記人気度の低い組や番号の宝くじ券の少なくとも一方を、所定の選択方法に基づいて前記購入枚数分選択し、さらに、予め内部に設定されたルールに従って、前記購入枚数分選択された宝くじ券の組と番号の組み合わせの中に、前記人気・不人気番号情報データベースにおいて組と番号の両方が低い人気度に対応付けられて記録されている組と番号の組み合わせが含まれる場合には、前記購入枚数分選択された宝くじ券の何れかを、前記人気・不人気番号情報データベースにおいて組と番号の両方が高い人気度に対応付けられて記録されている組と番号の宝くじ券に変更して券組を行なう券組管理処理と、をコンピュータに実行させるプログラムである。
【００１２】
【発明の実施の形態】
以下、本発明の一実施形態による宝くじ販売装置を用いた宝くじ販売システムを図面を参照して説明する。
図１は、同宝くじ販売システムの構成を示す概略ブロック図である。この図において、符号１は宝くじの販売処理を行う宝くじモール・サイト（宝くじ販売装置）である。２は通信網を介して宝くじモール・サイト１に接続されたインターネット・バンキング・システムなどから成る電子決済サーバであり、会員より受付けた宝くじの購入の電子決済を受付ける。電子決済サーバ２は図１のように専用回線などの通信網を介して宝くじモール・サイト１に接続する代わりに、インターネット４を介して宝くじモール・サイト１と接続してもよい。３は宝くじモール・サイト１において宝くじの購入ができるように、宝くじモール・サイトにアクセスして利用登録を行った会員の端末である。会員端末３は実際には複数存在しているが、図１においては代表的に一つのみ示している。４は宝くじモール・サイト１と会員端末３を接続するインターネット網である。
【００１３】
宝くじモール・サイト１は、インターネット４上の独立した機能単位であって、また、インターネット上に複数存在しても良く、例えば、全国に実在する宝くじ売り場各々が、独自にインターネット４上に開設してもよい。そして、この宝くじモール・サイト１において、１１は会員端末３からのアクセスを受付ける受付管理部である。１２は当せん宝くじに関するデータを管理する当せん管理部である。１３は宝くじモール・サイト１で保管する宝くじの種類および枚数を管理する現物管理部である。１４は会員宛て文書の作成及び送付を行う文書作成／送付部である。
【００１４】
１５は会員の情報（氏名、年齢、会員番号、パスワード、メールアドレス等）を記憶する会員ＤＢ（データベース）である。１６は宝くじ購入申込みデータ及び当せん結果データを記憶する宝くじＤＢである。１７は宝くじ購入申込みに伴う決済および宝くじ当せんに伴う決済を電子決済サーバ２に指示する決済管理部である。また、１８は宝くじの番号の人気番号および不人気番号などの情報を記憶する人気・不人気番号情報ＤＢである。１９は購入時における会員の購入番号指定と現物管理部１３および、宝くじＤＢ１６、人気・不人気番号情報ＤＢ１８の情報に基づいて、販売する宝くじ券の組み合わせを決定する券組管理部である。
【００１５】
次に、上述した宝くじ販売システムの動作を図１〜図６を参照しながら詳細に説明する。図２は本実施形態における宝くじの購入処理を示すフローチャートである。図３は本実施形態における宝くじモール・サイト１が宝くじ券の券組を決定する処理を示すフローチャートである。まず、宝くじモール・サイト１がインターネット上に開設する宝くじ購入のＷｅｂサイトへ、会員が端末３よりアクセスを行う。会員からのアクセスは受付管理部１１が、インターネット４を介して受付ける（ステップＳ１）。そして受付管理部１１は、会員の端末３に会員番号およびパスワードを入力する画面を表示し、会員からの入力を受ける。会員の会員番号とパスワードは会員ＤＢ１５に記憶しているので、受付管理部は１１受付けた会員番号とパスワードの照合を会員ＤＢ１５上で行い、会員番号とパスワードの組み合わせが正常であれば会員のログインを認証する。
【００１６】
次に、受付管理部１１は、宝くじモール・サイト１で購入可能な宝くじの選択を受けるために、宝くじ選択画面を端末３に提示する。ここで会員が、ある普通宝くじを選択したとする。そして受付管理部１１は普通宝くじの選択を受付けた後、図４の購入申込み画面ａを端末３に提示する。この購入申込み画面ａは組と番号と購入枚数からなる購入条件を指定する入力欄が設けられている。ここでこの組と番号の指定は、組もしくは番号のどちらかの指定でも良いし、組の一部のみや、番号の一部のみの指定を行う事もできる。会員が購入申込み画面ａにおいて、例えば組の下一桁を「５」、番号の下二桁目を「６」、購入枚数を１０として購入条件を入力し（ステップＳ３）ＯＫのボタンをクリックすると、図４の下一桁を０〜９に揃えるかどうかの指定画面ｂが表示される。この画面においてチェックボックスをチェックしてＯＫのボタンをクリックすると、購入条件を満たした上で下一桁の番号が０〜９で揃った宝くじ券の購入が可能となる。ここで会員が、下一桁を０〜９に揃えるかどうかの指定画面ｂのチェックボックスをチェックしないでＯＫをクリックし、受付管理部１１がその購入申込みを受付けるとする。
【００１７】
次に、宝くじモール・サイト１の受付管理部１１は、会員の購入申込みを受付けた後、購入条件の組と番号の情報を人気・不人気番号情報ＤＢ１８に記録する。ここで、人気・不人気番号情報ＤＢ１８は、会員が購入条件で指定した組と番号の情報に一致する組と番号の全てにおいて、その指定された回数を記録したデータを保持している。今、ステップＳ３において、会員が組の下一桁目の番号を「５」と指定したので、受付管理部１１が人気・不人気番号情報ＤＢ１８に購入条件の組の情報を記録する際に、組の下一桁目が「５」の組全ての指定回数が１だけカウントアップして記憶される。また、会員が番号の下二桁目の番号を「６」と指定したので、受付管理部１１が人気・不人気番号情報ＤＢ１８に購入条件の番号の情報を記録する際に、下二桁目が「６」の全ての番号の指定回数が１だけカウントアップして記憶される。
【００１８】
また、人気・不人気番号情報ＤＢ１８は、宝くじモール・サイト１の管理者が経験に基づいて設定した人気度のデータを組と番号のそれぞれにおいてＡ〜Ｅの５段階のランクで記憶している。このＡ〜ＥのランクはＡが最高の人気度の値であり、Ｅは最低の人気度の値となっている。図５のｃは組の指定回数と人気度のデータを示す表である。またｄは番号の指定回数と人気度のデータを示す表である。
【００１９】
また、宝くじモール・サイト１の受付管理部１１は、受付けた購入申込みの購入条件の情報を現物管理部１３にも転送する。そして現物管理部１３が、会員が指定した購入条件の組や番号や枚数が在庫として残っているかどうかの宝くじ在庫情報を確認する（ステップＳ４）。現物管理部１３は宝くじ在庫情報から、購入条件に合致する宝くじ券が在庫として残っていないと判断した場合には、その旨を受付管理部１１に提示して、受付管理部１１が端末３に購入条件の変更を行うかどうかの確認画面を提示する（ステップＳ５）。ステップＳ５において提示された確認画面において、会員が購入条件の変更を希望した場合は、受付管理部１１は端末３に宝くじ選択画面を提示して、再度、希望する宝くじの種類の選択を受付け、また、購入申込み画面ａを端末３に提示して組、番号、購入枚数からなる購入条件の指定を受付ける。会員が購入条件の変更を希望しない場合には、受付管理部１１はそのまま宝くじの購入受付を終了する。
【００２０】
ステップＳ４において会員の購入希望の宝くじ券が在庫として残っていると現物管理部１３が判断した場合には、受付管理部１１は会員が購入申込み時に指定した購入条件を表示する購入条件確認画面を端末３に提示する。会員は端末３に提示された購入条件確認画面から購入条件の再確認を行い、また、購入条件確認画面における購入決定ボタンをクリックして宝くじの購入を決定する。会員が購入ボタンをクリックしたことを受けて、受付管理部１１は、券組管理部１９に会員の購入条件に基づいた宝くじ券の組み合わせを決定するよう指示する。
【００２１】
次に、図３より、券組管理部１９は、在庫として残っている宝くじ券の中から、会員が指定した購入条件に合致する宝くじ券を全て抽出し、そして抽出した宝くじ券全ての中から、会員が指定した枚数分だけ選択して券組を行う（ステップＳ６ａ）。この指定枚数分の宝くじ券の選択は、図５の組の指定回数と人気度のデータを示す表ｃと、番号の指定回数と人気度のデータを示す表ｄにおける指定回数に基づいて選択される。会員は、組の下一桁を５、番号の下二桁目を６として購入条件を指定したので、まず、一枚目の宝くじ券の選択は、組の下一桁が５の組で一番指定回数の少ない組を選択し、その組の中から番号の下二桁目が６で一番指定回数が少ない番号を選択する。次に二枚目の宝くじ券は、組下一桁が５の組で二番目に指定回数の少ない組を選択し、その組の中から番号の下二桁目が６で一番目に指定回数が少ない番号を選択する。次に三枚目の宝くじ券は、組下一桁が５の組で三番目に指定回数の少ない組を選択し、その組の中から番号の下二桁目が６で一番目に指定回数が少ない番号を選択する。このように、券組管理部１９は購入条件の購入枚数分の１０回上記の処理を繰り返して宝くじ券を選択し券組を行う。図６は券組管理部１９が選択した宝くじ券を示す表である。
なお、上述の券組の方法は、指定回数の少ない組や番号の宝くじ券から順番に券組される例を示すものである。よって、他の宝くじ券の選択方法により、指定回数の少ない組や番号の宝くじ券を選択して券組を行っても良い。
【００２２】
会員の購入条件に基づいて１０枚の宝くじ券が券組されたが、ここで券組管理部１９は、券組された１０枚の宝くじ券にルールの適用が可能かどうかを判断する（ステップＳ６ｂ）。このルールは、宝くじモール・サイト１の管理者が予め券組管理部１９に設定したルールであり、図７に示す。例えば、ルールＮｏ．１の「組・番号ともに人気度がＥの宝くじ券が存在する場合には、組・番号ともに人気度がＡの宝くじ券を必ず含むこととする」というルールが券組管理部１９に設定されていたとする。図６より、券組管理部１９が券組した１０枚の宝くじ券の中に「５５組／組の人気度Ｅ／番号：１６６６６６／番号の人気度Ｅ」という組・番号ともにＥの宝くじ券が含まれているので、この場合、ルールが適用される（ステップＳ６ｃ）。そして券組管理部１９は、券組の中に組・番号の人気度がともにＡの番号を組み込む。
【００２３】
組・番号の人気度がともにＡとなる宝くじ券を券組された１０枚の中に一枚だけ挿入する際の処理は、券組された１０枚の宝くじ券の中で「組番号のランクが一番上位の宝くじ券で、その中で番号の人気度が一番低い宝くじ券」を抽出して行うと規定されているとする。図６より、組番号のランクが一番上位であるＡの宝くじ券が２つあり、その中で番号の人気度が一番低い宝くじ券を抽出すると、「３５組／組の人気度Ａ／番号：１９８７６５／番号の人気度Ｅ」の宝くじ券となる。そして、この宝くじ券を組・番号ともに人気度Ａの宝くじ券と変更するため、券組管理部１９は同じ３５組の中から番号の人気度がＡの宝くじ券を選択し変更する。組・番号ともに人気度がＡの宝くじ券を「３５組／組の人気度Ａ／番号：１７２８６３／番号の人気度Ａ」とする。これにより、会員の購入条件に基づいた宝くじ券の券組が決定した（ステップＳ７）。
【００２４】
次に、会員の購入条件に基づいた宝くじ券の券組が決定したので、券組管理部１９は決済管理部１７に対して宝くじ券の券組が完了した旨を通知する共に、購入枚数分の購入代金の決済を行うよう指示する（ステップＳ８）。そして決済管理部１７が電子決済サーバ４に電子決済の為の金額や会員の情報を送信し、電子決済サーバ４において電子決済が実行される。また券組管理部１９は券組の決定後、受付管理部１１に対して券組が完了した旨を通知する。
【００２５】
受付管理部１１は券組の完了を検知すると、会員の端末３に購入申込みの受付けが完了した旨を通知する。そして、現物管理部１３に対して、宝くじＤＢ１６の中の宝くじ在庫情報から、販売した宝くじ券の消し込みを行うように指示する。現物管理部１３は券組管理部１９で券組された宝くじ券を消しこむ情報を宝くじＤＢ１６に送信する。これにより宝くじＤＢ１６における宝くじ在庫情報から、券組された宝くじ券が消し込まれる（ステップＳ９）。
【００２６】
次に、受付管理部１１は文書作成／送付部１４に対して「宝くじ購入明細書」の作成と会員への送付を支持する。文書作成／送付部１４は、「宝くじ購入明細書」をインターネット４を介して端末３に送信する（ステップＳ１０）。また「宝くじ購入明細書」は必要に応じてハードコピーして郵送にて会員に送付しても良い。また「宝くじ購入明細書」の情報が文書作成／送付部１４から宝くじＤＢ１６に転送し、宝くじＤＢ１６がこれを記憶する。
【００２７】
【発明の効果】
以上説明したように、本発明によれば、受付管理部が宝くじの種類および宝くじ券の組と番号と購入枚数からなる購入条件の指定を受付け、現物管理部が購入条件に合致する宝くじ券が在庫として存在するかどうかを宝くじデータベースに記憶する宝くじ在庫情報に基づいて判断する。そして、券組管理部が、現物管理部で在庫として存在すると判断した宝くじ券の中から前記購入条件に基づいた宝くじ券を抽出した後に、前記人気・不人気番号情報データベースに記憶する前記指定回数が少ない組や番号の宝くじ券、または前記人気度の低い組や番号の宝くじ券の少なくとも一方に基づいて券組を行う。
これにより、会員が指定した宝くじ券の番号と共に、人気のない宝くじ券も共に販売するので、人気のない組や番号の宝くじ券を売れ残りなく販売することができる。また、人気の無い番号も販売することができるので、人気のある番号と人気の無い番号の在庫数を平均化することが出来る。
【００２８】
また、本発明によれば、前記券組管理部が、指定回数または人気度の少なくとも一方に基づいて予め設定されたルールに従って券組の修正をして券組を決定する。これにより、一度券組された宝くじ券にルールを適用することで、例えば、券組される宝くじ券が著しく人気のない宝くじ券ばかりにならないように修正することができる。
【００２９】
また、本発明によれば、前記人気度は宝くじの販売経験に基づいて決定された前記組と前記番号毎のランクである。この人気度により、購入者は人気のある組や番号をしらなくとも、人気度により人気のある宝くじ券を選択することができる。
【図面の簡単な説明】
【図１】  この発明の一実施形態による宝くじ販売システムの構成を示す概略ブロック図である。
【図２】  同実施形態における宝くじの購入処理を示すフローチャートである。
【図３】  同実施形態における宝くじモール・サイト１が宝くじの券組を決定する処理を示すフローチャートである。
【図４】  同実施形態における購入申込み画面ａ及び下一桁を０〜９に揃えるかどうかの指定画面ｂを示す図である。
【図５】  同実施形態における組の指定回数と人気度のデータを示す表ｃ及び番号の指定回数と人気度のデータを示す表ｄを示す図である。
【図６】  同実施形態における券組管理部１９が選択した宝くじを示す表である。
【図７】  同実施形態における券組管理部１９が購入条件に基づいて決定した券組に適用するルールの一覧を示す表である。
【符号の説明】
１  宝くじモール・サイト
２  電子決済サーバ
３  端末
４  インターネット
１１  受付管理部
１２  当せん管理部
１３  現物管理部
１４  文書作成／送付部
１５  会員ＤＢ
１６  宝くじＤＢ
１７  決済管理部
１８  人気・不人気番号情報ＤＢ
１９  券組管理部
【図１】
0003694284.tif 000002
【図２】
0003694284.tif 000003
【図３】
0003694284.tif 000004
【図４】
0003694284.tif 000005
【図５】
0003694284.tif 000006
【図６】
0003694284.tif 000007
【図７】
0003694284.tif 000008